(57)【特許請求の範囲】
【請求項１】
信号記録媒体に対してデータの記録及び／又は再生をするための光を出射する光源と、
データの書き込み用信号及び／又は読み出し用信号に基づいて上記光源に供給する駆動電流の電流値を切り替える駆動電流切換手段と、
上記光源の出射光量を検出して、検出光量に応じた光検出信号を出力する光検出手段と、
上記データの書き込み用信号及び／又は読み出し用信号を平滑化する第１の低域通過フィルタと、
上記光検出信号を平滑化する第２の低域通過フィルタと、
上記第１の低域通過フィルタにより平滑化された信号と上記第２の低域通過フィルタにより平滑化された信号との差分信号を算出する第１の差分信号算出手段と、
上記差分信号に応じて上記駆動電流の電流値を制御する可変電流手段とを備え、
上記第１及び第２の低域通過フィルタは、複数の信号通過帯域に切換え可能とされており、
上記第１及び第２の低域通過フィルタは、データの記録開始時に高い信号通過帯域とされ、データの記録開始から所定時間経過後に低い信号通過帯域へと切り替えられること
を特徴とする光出力制御装置。
【請求項２】
信号記録媒体に対してデータの記録及び／又は再生をするための光を出射する光源と、
データの書き込み用信号及び／又は読み出し用信号に基づいて上記光源に供給する駆動電流の電流値を切り替える駆動電流切換手段と、
上記光源の出射光量を検出して、検出光量に応じた光検出信号を出力する光検出手段と、
上記データの書き込み用信号及び／又は読み出し用信号を平滑化する第１の低域通過フィルタと、
上記光検出信号を平滑化する第２の低域通過フィルタと、
上記第１の低域通過フィルタにより平滑化された信号と上記第２の低域通過フィルタにより平滑化された信号との差分信号を算出する第１の差分信号算出手段と、
上記差分信号に応じて上記駆動電流の電流値を制御する可変電流手段とを備え、
上記第１及び第２の低域通過フィルタは、複数の信号通過帯域に切換え可能とされており、
ディスク状の上記信号記録媒体の内外周へアクセスをする際には、高い信号通過帯域とされること
を特徴とする光出力制御装置。
【請求項３】
信号記録媒体に対してデータの記録及び／又は再生をするための光を出射する光源と、
データの書き込み用信号及び／又は読み出し用信号に基づいて上記光源に供給する駆動電流の電流値を切り替える駆動電流切換手段と、
上記光源の出射光量を検出して、検出光量に応じた光検出信号を出力する光検出手段と、
上記データの書き込み用信号及び／又は読み出し用信号を平滑化する第１の低域通過フィルタと、
上記光検出信号を平滑化する第２の低域通過フィルタと、
上記第１の低域通過フィルタにより平滑化された信号と上記第２の低域通過フィルタにより平滑化された信号との差分信号を算出する第１の差分信号算出手段と、
上記差分信号に応じて上記駆動電流の電流値を制御する可変電流手段とを備え、
上記光検出手段は、上記光源からの出射光の上記信号記録媒体で反射された戻り光を検出する戻り光光検出手段であり、
上記差分信号から上記信号記録媒体に対するデータの書き込み特性に基づく参照値を引き算すること
を特徴とする光出力制御装置。
【請求項４】
上記第１及び第２の低域通過フィルタは、信号通過帯域が同一とされること
を特徴とする請求項１，２又は３記載の光出力制御装置。
【請求項５】
上記第１の差分信号算出手段は、所定の定数が掛けられた上記第１の低域通過フィルタで平滑化された信号により、上記差分信号を算出すること
を特徴とする請求項１，２又は３記載の光出力制御装置。
【請求項６】
上記データの書き込み用信号及び上記光検出信号は、略パルス波形からなる信号であること
を特徴とする請求項１，２又は３記載の光出力制御装置。
【請求項７】
上記光検出手段は、上記光源からの出射光を直接的に検出する出射光光検出手段であること
を特徴とする請求項１又は２記載の光出力制御装置。
【請求項８】
書き込み用信号及び所定の読み出し用信号に基づいて信号記録媒体に光を出射する光源の出力を制御する光出力制御装置であって、
信号記録媒体に対してデータの記録及び／又は再生をするための光を出射する光源と、
上記書き込み用信号に基づいて上記光源への駆動電流を第１の電流値と第２の電流値とで切り替える駆動電流切換手段と、
上記光源からの出射光量を検出して、検出光量に応じた光検出信号を出力する光検出手段と、
上記光検出信号内の読み出し用信号成分を検出して検出読み出し用信号を出力する第１の信号検出手段と、
上記光検出信号と上記検出読み出し用信号との差分から書き込み用信号成分を検出して検出書き込み用信号を出力する第２の信号検出手段と、
上記検出書き込み用信号を平滑化する第１の低域通過フィルタと、
上記第１の低域通過フィルタにより平滑化された信号と所定の基準書き込み用信号との差分信号を算出して書き込み差分信号を出力する第１の差分信号算出手段と、
上記検出読み出し用信号と所定の基準読み出し用信号との差分信号を算出して読み出し差分信号を出力する第２の差分信号算出手段と、
上記書き込み差分信号に応じて上記駆動電流の第１の電流値を制御する第１の可変電流手段と、
上記読み出し差分信号に応じて上記駆動電流の第２の電流値を制御する第２の可変電流手段とを備えること
を特徴とする光出力制御装置。
【請求項９】
上記書き込み用信号を平滑化して上記所定の基準書き込み用信号を出力する第２の低域通過フィルタを備えていること
を特徴とする請求項８記載の光出力制御装置。
【請求項１０】
上記第１及び第２の低域通過フィルタは、通過信号帯域が同一とされること
を特徴とする請求項９記載の光出力制御装置。
【請求項１１】
上記第１及び第２の低域通過フィルタは、複数の信号通過帯域に切換え可能とされており、
上記第１及び第２の低域通過フィルタは、データの記録開始時に高い信号通過帯域とされ、データの記録開始から所定時間経過後に低い信号通過帯域へと切り替えられること
を特徴とする請求項９記載の光出力制御装置。
【請求項１２】
上記第１及び第２の低域通過フィルタは、複数の信号通過帯域に切換え可能とされており、
ディスク状の上記信号記録媒体の内外周へアクセスをする際には、高い信号通過帯域とされること
を特徴とする請求項９記載の光出力制御装置。
【請求項１３】
上記書き込み用信号及び上記検出書き込み用信号は、略パルス形状の波形からなる信号であること
を特徴とする請求項９記載の光出力制御装置。
【請求項１４】
上記第１の差分信号算出手段は、所定の定数が掛けられた上記第２の低域通過フィルタにより平滑化された信号により、上記差分信号を算出すること
を特徴とする請求項９記載の光出力制御装置。
【請求項１５】
上記第１の信号検出手段は、再生時に発生するサンプリング信号により、上記読み出し成分信号をサンプルホールドするサンプルホールド手段であること
を特徴とする請求項８記載の光出力制御装置。
【請求項１６】
信号記録媒体に光を出射する光源の出力を制御する光出力制御部を有する記録媒体駆動装置において、
上記光出力制御部は、
信号記録媒体に対してデータの記録及び／又は再生をするための光を出射する光源と、
データの書き込み用信号及び／又は読み出し用信号に基づいて上記光源に供給する駆動電流の電流値を切り替える駆動電流切換手段と、
上記光源の出射光量を検出して、検出光量に応じた光検出信号を出力する光検出手段と、
上記データの書き込み用信号及び／又は読み出し用信号を平滑化する第１の低域通過フィルタと、
上記光検出信号を平滑化する第２の低域通過フィルタと、
上記第１の低域通過フィルタにより平滑化された信号と上記第２の低域通過フィルタにより平滑化された信号との差分信号を算出する第１の差分信号算出手段と、
上記差分信号に応じて上記駆動電流の電流値を制御する可変電流手段とを備え、
上記第１及び第２の低域通過フィルタは、複数の信号通過帯域に切換え可能とされており、
上記第１及び第２の低域通過フィルタは、データの記録開始時に高い信号通過帯域とされ、データの記録開始から所定時間経過後に低い信号通過帯域へと切り替えられること
を特徴とする記録媒体駆動装置。
【請求項１７】
信号記録媒体に光を出射する光源の出力を制御する光出力制御部を有する記録媒体駆動装置において、
上記光出力制御部は、
信号記録媒体に対してデータの記録及び／又は再生をするための光を出射する光源と、
データの書き込み用信号及び／又は読み出し用信号に基づいて上記光源に供給する駆動電流の電流値を切り替える駆動電流切換手段と、
上記光源の出射光量を検出して、検出光量に応じた光検出信号を出力する光検出手段と、
上記データの書き込み用信号及び／又は読み出し用信号を平滑化する第１の低域通過フィルタと、
上記光検出信号を平滑化する第２の低域通過フィルタと、
上記第１の低域通過フィルタにより平滑化された信号と上記第２の低域通過フィルタにより平滑化された信号との差分信号を算出する第１の差分信号算出手段と、
上記差分信号に応じて上記駆動電流の電流値を制御する可変電流手段とを備え、
上記第１及び第２の低域通過フィルタは、複数の信号通過帯域に切換え可能とされており、
ディスク状の上記信号記録媒体の内外周へアクセスをする際には、高い信号通過帯域とされること
を特徴とする記録媒体駆動装置。
【請求項１８】
信号記録媒体に光を出射する光源の出力を制御する光出力制御部を有する記録媒体駆動装置において、
上記光出力制御部は、
信号記録媒体に対してデータの記録及び／又は再生をするための光を出射する光源と、
データの書き込み用信号及び／又は読み出し用信号に基づいて上記光源に供給する駆動電流の電流値を切り替える駆動電流切換手段と、
上記光源の出射光量を検出して、検出光量に応じた光検出信号を出力する光検出手段と、
上記データの書き込み用信号及び／又は読み出し用信号を平滑化する第１の低域通過フィルタと、
上記光検出信号を平滑化する第２の低域通過フィルタと、
上記第１の低域通過フィルタにより平滑化された信号と上記第２の低域通過フィルタにより平滑化された信号との差分信号を算出する第１の差分信号算出手段と、
上記差分信号に応じて上記駆動電流の電流値を制御する可変電流手段とを備え、
上記光検出手段は、上記光源からの出射光の上記信号記録媒体で反射された戻り光を検出する戻り光光検出手段であり、
上記差分信号から上記信号記録媒体に対するデータの書き込み特性に基づく参照値を引き算すること
を特徴とする記録媒体駆動装置。
【請求項１９】
書き込み用信号及び所定の読み出し用信号に基づいて信号記録媒体に光を出射する光源の出力を制御する光出力制御部を有する記録媒体駆動装置であって、
上記光出力制御部は、
信号記録媒体に対してデータの記録及び／又は再生をするための光を出射する光源と、
上記書き込み用信号に基づいて上記光源への駆動電流を第１の電流値と第２の電流値とで切り替える駆動電流切換手段と、
上記光源からの出射光量を検出して、検出光量に応じた光検出信号を出力する光検出手段と、
上記光検出信号内の読み出し用信号成分を検出して検出読み出し用信号を出力する第１の信号検出手段と、
上記光検出信号と上記検出読み出し用信号との差分から書き込み用信号成分を検出して検出書き込み用信号を出力する第２の信号検出手段と、
上記検出書き込み用信号を平滑化する第１の低域通過フィルタと、
上記第１の低域通過フィルタにより平滑化された信号と所定の基準書き込み用信号との差分信号を算出して書き込み差分信号を出力する第１の差分信号算出手段と、
上記検出読み出し用信号と所定の基準読み出し用信号との差分信号を算出して読み出し差分信号を出力する第２の差分信号算出手段と、
上記書き込み差分信号に応じて上記駆動電流の第１の電流値を制御する第１の可変電流手段と、
上記読み出し差分信号に応じて上記駆動電流の第２の電流値を制御する第２の可変電流手段とを備えること
を特徴とする記録媒体駆動装置。
【発明の詳細な説明】
【０００１】
【発明の属する技術分野】
本発明は、光を出射する光源の出力を制御する光出力制御装置及び記録媒体駆動装置に関し、詳しくは、光ピックアップ装置の備えるデータの記録及び／又は再生のための光源の出力を制御するのに好適な光出力制御装置及び記録媒体駆動装置に関する。
【０００２】
【従来の技術】
近年、情報量の増大、記録、再生の高密度・高速化の要求に応える記録媒体として、レーザー光により情報の記録及び再生をすることが可能とされる光ディスクについての開発が盛んに行われている。記録可能な光ディスクには、一度だけ記録が可能な追記型や記録・消去が何度でも可能な書換え型がある。
【０００３】
追記型の光ディスクは、集光されレーザーにより情報が基板上に形成された案内溝上に書き込まれていく（ピットが形成されていく）もので、一回のみの情報の記録が可能とされる。また、書換え型光ディスクには、光磁気効果を利用した光磁気ディスクや、可逆的な結晶状態の変化を利用した相変化光ディスクがあり、相変化光ディスクの場合、外部磁気を必要とせず、レーザー光のパワー変調だけで、記録、消去が可能とされる。
【０００４】
このような追記型や相変化型の光ディスクに情報を書き込む記録装置は、図１６中（Ａ）に示すように、例えば、位置を検出するための再生用レーザーパワーと、この再生レーザーパワーよりも高いレベルとされて、情報を記録するための記録用レーザーパワーといった２つの出力レベルのレーザーパワーにより情報の記録を行っている。例えば、相変化光ディスクでは、再生レベルより高いレベルとされる記録レベルのレーザーパワーにより記録層が非晶質化されてデータが記録される（ピットが形成される）。そして、記録装置は、レーザー光の光量を安定させるために、図１６中（Ｂ）及び（Ｃ）に示すような所定のタイミングにより発生されるサンプリング信号により記録及び再生のレーザー光の各レベルそれぞれについてサンプリングし、その各レベルが一定になるようにレーザードライバの各コントロールに帰還をかけ、２つの出力レベルそれぞれを一定にしている。
【０００５】
図１７には、このような記録装置において光源の出力を制御する従来の光出力制御装置の構成例を示している。この従来の光出力制御装置では、光源３０１の出射光を受光する光検出器３０２からの出力が、増幅器３０３で増幅されて、記録レベル及び再生レベルをサンプルするサンプルホールド回路３０４，３０５に入力される。
【０００６】
サンプルホールド回路３０４では、所定のタイミングによりサンプリングパルス（Readサンプルパルス）が発生され、これにより再生レベルのサンプリングが行われる。そして、サンプルホールド回路３０４でサンプルホールドされた再生レベルは、予め決定されている所定の基準信号と後段の引き算器３０６において引き算される。そして、引き算器３０６の出力が、増幅器３０８により増幅されて可変電流源３１０に入力される。この可変電流源３１０は、増幅器３０８の出力に応じて光源３０１のレーザーパワーが最適となるように制御させており、よって、光源３０１は、この可変電流源３１０により再生レベルのレーザーパワーが制御されていることになる。
【０００７】
同様に、サンプルホールド回路３０５では、所定のタイミングによりサンプリングパルス（Writeサンプルパルス）が発生され、これにより記録レベルのサンプリングが行われる。そして、サンプルホールド回路３０５でサンプルホールドされた記録レベルは、後段の引き算器３０７において予め決定されている所定の基準信号と引き算される。そして、引き算器３０７からの出力が、増幅器３０９により増幅されて可変電流源３１１に入力される。この可変電流源３１１は、増幅器３０９の出力に応じて光源３０１のレーザーパワーを変化させており、よって、光源３０１は、この可変電流源３１１により記録レベルのレーザーパワーが制御されていることになる。
【０００８】
このような従来の光出力制御装置は、記録レベルと再生レベルをそれぞれサンプリングして、それぞれを所定の基準信号と比較して、記録レベル及び再生レベルのレーザーパワーを制御している。
【０００９】
また、データの書き込み、すなわちピットの形成は、図１８に示すように、一連のパルスによる、いわゆるパルストレインによりなされることが多く、この場合において、パルスの細分化が行われている。
【００１０】
【発明が解決しようとする課題】
ところで、高速でデータを記録しようとした場合、上述した記録レベルと再生レベルの出力時間、すなわち各レベルの信号の発生間隔を狭くする必要がある。上述したように、記録レベル及び再生レベルのレーザーパワーを制御するためには、各レベルについてサンプリングパルスによるサンプリングが必要とされているが、50Mbpsや100Mbpsといった高速でデータを記録しようとした場合、サンプリングが困難になる。これでは、各レベルについて、レーザーパワーを制御することができなくなってしまう。
【００１１】
また、従来よりピットを形成する場合には、ピットの形成比率が一定になる、いわゆるＤＣフリーが採用されており、この場合には、所定（一定）の基準信号と比較することで、出力レベルが変化していることを検出して、この検出結果に基づいてレーザーパワーを制御していたが、ＤＣフリーでないデータの記録が行われる場合もある。ＤＣフリーでないデータの記録の場合には、一定とされた基準信号による比較では、出力レベルを制御することができない。このようなことから、光源をパルス駆動する記録パルスを適宜サンプリングして生成した基準信号に基づいて出力レベルを制御することも考えられるが、上述したパルストレインのようにパルスによりデータを記録する（一つのピットを形成する）場合には、各パルスについてサンプリングする必要があり、パルスが細分化されている場合には、サンプリングが困難になる。
【００１２】
そこで、本発明は、上述した実情に鑑みてなされたものであり、高速でデータの記録や再生を行う場合であっても、光源の出力を的確に制御することができる光出力制御装置及び記録媒体駆動装置を提供することを目的としている。
【００１３】
【課題を解決するための手段】
本発明に係る光出力制御装置は、上述した課題を解決するために、信号記録媒体に対してデータの記録及び／又は再生をするための光を出射する光源と、データの書き込み用信号及び／又は読み出し用信号に基づいて光源に供給する電流値を切り替える駆動電流切換手段と、光源の出射光量を検出して、検出光量に応じた光検出信号を出力する光検出手段と、光源駆動信号を平滑化する第１の低域通過フィルタと、光検出信号を平滑化する第２の低域通過フィルタと、第１の低域通過フィルタにより平滑化された信号と第２の低域通過フィルタにより平滑化された信号との差分信号を算出する第１の差分信号算出手段と、差分信号に応じて駆動電流の電流値を制御する可変電流手段とを備え、上記第１及び第２の低域通過フィルタは、複数の信号通過帯域に切換え可能とされており、上記第１及び第２の低域通過フィルタは、データの記録開始時に高い信号通過帯域とされ、データの記録開始から所定時間経過後に低い信号通過帯域へと切り替えられる。
また、本発明に係る光出力制御装置は、上述の課題を解決するために、信号記録媒体に対してデータの記録及び／又は再生をするための光を出射する光源と、データの書き込み用信号及び／又は読み出し用信号に基づいて光源に供給する電流値を切り替える駆動電流切換手段と、光源の出射光量を検出して、検出光量に応じた光検出信号を出力する光検出手段と、光源駆動信号を平滑化する第１の低域通過フィルタと、光検出信号を平滑化する第２の低域通過フィルタと、第１の低域通過フィルタにより平滑化された信号と第２の低域通過フィルタにより平滑化された信号との差分信号を算出する第１の差分信号算出手段と、差分信号に応じて駆動電流の電流値を制御する可変電流手段とを備え、上記第１及び第２の低域通過フィルタは、複数の信号通過帯域に切換え可能とされており、ディスク状の上記信号記録媒体の内外周へアクセスをする際には、高い信号通過帯域とされる。
また、本発明に係る光出力制御装置は、上述の課題を解決するために、信号記録媒体に対してデータの記録及び／又は再生をするための光を出射する光源と、データの書き込み用信号及び／又は読み出し用信号に基づいて光源に供給する電流値を切り替える駆動電流切換手段と、光源の出射光量を検出して、検出光量に応じた光検出信号を出力する光検出手段と、光源駆動信号を平滑化する第１の低域通過フィルタと、光検出信号を平滑化する第２の低域通過フィルタと、第１の低域通過フィルタにより平滑化された信号と第２の低域通過フィルタにより平滑化された信号との差分信号を算出する第１の差分信号算出手段と、差分信号に応じて駆動電流の電流値を制御する可変電流手段とを備え、上記光検出手段は、上記光源からの出射光の上記信号記録媒体で反射された戻り光を検出する戻り光光検出手段であり、上記差分信号から上記信号記録媒体に対するデータの書き込み特性に基づく参照値を引き算する。
さらに、本発明に係る記録媒体駆動装置は、上述したような光出力制御装置の構成を備えた光出力制御部を有する。
【００１４】
このような構成を有する光出力制御装置は、第１の低域通過フィルタにより平滑化された光検出信号と第２の低域通過フィルタにより平滑化された光検出信号とから第１の差分信号算出手段により算出した差分信号に応じて、可変電流手段が光源に供給する駆動電流の電流値を制御する。
【００１５】
また、本発明に係る光出力制御装置は、上述の課題を解決するために、信号記録媒体に対してデータの記録及び／又は再生をするための光を出射する光源と、書き込み用信号に基づいて光源への駆動電流を第１の電流値と第２の電流値とで切り替える駆動電流切換手段と、光源からの出射光量を検出して、検出光量に応じた光検出信号を出力する光検出手段と、光検出信号内の読み出し用信号成分を検出して検出読み出し用信号を出力する第１の信号検出手段と、光検出信号と検出読み出し用信号との差分から書き込み用信号成分を検出して検出書き込み用信号を出力する第２の信号検出手段と、検出書き込み用信号を平滑化する第１の低域通過フィルタと、第１の低域通過フィルタにより平滑化された信号と所定の基準書き込み用信号との差分信号を算出して書き込み差分信号を出力する第１の差分信号算出手段と、検出読み出し用信号と所定の基準読み出し用信号との差分信号を算出して読み出し差分信号を出力する第２の差分信号算出手段と、書き込み差分信号に応じて駆動電流の第１の電流値を制御する第１の可変電流手段と、読み出し差分信号に応じて駆動電流の第２の電流値を制御する第２の可変電流手段とを備える。
さらに、本発明に係る記録媒体駆動装置は、上記光出力制御装置の構成を備えた光出力制御部を有する。
【００１６】
このような構成を有する光出力制御装置は、第１の信号検出手段及び第２の信号検出手段により、光検出信号内から読み出し用信号成分及び書き込み用信号成分を検出して、検出読み出し用信号及び検出書き込み用信号を出力する。そして、光出力制御装置は、第１の低域通過フィルタにより平滑化された検出書き込み用信号と所定の基準書き込み用信号とから第１の差分信号算出手段により算出した書き込み差分信号に応じて第１の可変電流手段が駆動電流の第１の電流値を制御し、また、検出読み出し用信号と所定の基準読み出し用信号とから第２の差分信号算出手段により算出した読み出し差分信号に応じて第２の可変電流手段が駆動電流の第２の電流値を制御する。
【００１７】
【発明の実施の形態】
以下、本発明の実施の形態について図面を用いて説明する。
【００１８】
先ず、第１の実施の形態である光出力制御装置は、図１に示すように、信号記録媒体であるディスクに対してデータの記録及び／又は再生をするための光を出射する光源２と、データの書き込み用信号又は再生用信号に基づいて光源２に供給する駆動電流の電流値を切り替える駆動電流切換手段であるスイッチ部１９と、光源２の出射光量を検出して、検出光量に応じた光検出信号を出力する光検出手段である出射光光検出器４と、データの書き込み用信号及び／又は再生用信号を平滑化する第１の低域通過フィルタであるローパスフィルタ１４と、光検出信号を平滑化する第２の低域通過フィルタであるローパスフィルタ１３と、ローパスフィルタ１４により平滑化された信号とローパスフィルタ１３により平滑化された信号との差分信号を算出する第１の差分信号算出手段である引き算器１６と、差分信号に応じて駆動電流の電流値を制御する可変電流手段である可変電流源１８とを備えている。
【００１９】
この光出力制御装置１１は、光源２が出射する光を出射光光検出器４により受光して、その受光量に基づいて光源２のレーザーパワーを制御するように構成されており、例えば図２に示すような構成からなる光ピックアップ装置１に備える光源２の出力を制御することができる。
【００２０】
ここで、図２に示す光ピックアップ装置２は、ディスク２００に光を照射してデータの記録及び／又は再生を行うものであって、光を出射する光源２と、光源２から出射された光を透過させるともに、出射光を検出する出射光光検出器４に対して反射させるビームスプリッタ３と、ビームスプリッタ３で透過された光源２からの出射光を対物レンズ６に向けて透過させるとともに、ディスク２００からの戻り光を戻り光光検出器７に対して反射させるビームスプリッタ５と、ビームスプリッタ５から透過されてきた光源２からの出射光をディスク２００の信号記録面に収束させるとともに、ディスク２００からの戻り光をビームスプリッタ５に透過する対物レンズ６とを備えている。
【００２１】
ここで、例えば、ディスク２００は、集光されレーザーにより情報が基板上に形成された案内溝上に書き込まれていく（ピットが形成されていく）もので、一回のみの情報の記録が可能とされる追記型、或いは可逆的な結晶状態の変化を利用した相変化光ディスクである。
【００２２】
光源２は、レーザー光を出射する例えばレーザー光源である。通常、データを記録する際（ディスク２００にピットを形成する際）とデータを再生する際（ディスク２００に形成されているピットを読み出しする際）においてディスク２００に照射するレーザーパワーは異なっており、光源２は、再生レベル及び再生レベルより高い出力レベルとされる記録レベルについてレーザーパワーを光出力制御装置１１により制御されている。
【００２３】
具体的には、光源２は、ディスク２００にピットを形成させるための書き込み用信号と、ディスク２００に形成されているピットを読み取るための再生用信号とにより記録レベル及び再生レベルのそれぞれについてのレーザーパワーが切換えられ、例えば記録については、図３中（Ａ）に示すようなパルス状からなるデータの書き込み用信号に基づいて記録レベルにおける光源２がパルス駆動される。また、再生については、通常、一定値からなる信号により光源２の再生レベルにおけるレーザーパワーが略一定となるように制御されている。この光源２から出射された出射光はビームスプリッタ３に入射される。
【００２４】
ビームスプリッタ３は、光源２からの出射光を、他のビームスプリッタ５に対して透過するとともに、出射光光検出器４に向けて反射する。
【００２５】
出射光光検出器４は、光源２からの出射光を直接受光する光検出器であって、受光した光の強さに応じて光検出信号を出力する。例えば、記録の際には、出射光光検出器４は、図３中（Ｂ）に示すような信号を光検出信号として出力する。この出射光光検出器４は、光出力制御装置１１の一部を構成している。
【００２６】
ビームスプリッタ５は、ビームスプリッタ３からの出射光を対物レンズ６に透過させ、又はディスク２００からの戻り光を戻り光光検出器７に出射する。
【００２７】
対物レンズ６は、ビームスプリッタ５を透過してきた出射光をディスク２００の信号記録層に収束させる。ディスク２００に入射された光は、信号記録層において反射され、戻り光となって、対物レンズ６を介してビームスプリッタ５に入射され、戻り光光検出器７に対して反射される。
【００２８】
戻り光光検出器７は、ディスク２００からの戻り光を受光する光検出器であって、受光した光の強さに応じて光検出信号を出力する。例えば、戻り光光検出器７は、戻り光の受光量に応じて、例えば図３中（Ｂ）に示すような略パルス状の信号を光検出信号として出力する。この戻り光光検出器７は、光出力制御装置１１の一部を構成しているが、戻り光光検出器７が出力した光検出信号は、図示しないサーボ信号処理部等においてサーボ情報としても利用される。
【００２９】
このような構成を有する光ピックアップ装置１は、データ書き込み用信号に応じてディスク２００に対してデータを記録し（ピットを形成し）、或いは、データ再生用信号によりディスク２００に記録されている情報信号（形成されているピット）の再生を行うことができる。
【００３０】
以上のように構成されている光ピックアップ装置１の光源２のレーザーパワーを制御する光出力制御装置１１は、光源２及び出射光光検出器４の他に、増幅器１２、ローパスフィルタ１３，１４、乗算器１５、引き算器１６、増幅器１７、可変電流器１８、及びスイッチ部１９を備えている。
【００３１】
以下、光出力制御装置１１の各部について、信号処理手順に沿って具体的に説明する。
【００３２】
ディスク２００に対するデータの記録又は再生をする際には、図３中（Ａ）に示したように、パルス列からなるデータの書き込み用信号又は再生用信号に従って光源２のレーザーパワーが制御される。光出力制御装置１１では、このデータの書き込み用信号又は再生用信号が、スイッチ部１９及びローパスフィルタ１４に入力される。
【００３３】
スイッチ部１９は、可変電流源１９と光源２の接続をオン／オフするスイッチによって構成されており、入力された信号に応じてスイッチを切り替える。具体的には、記録の際には、スイッチ部１９は、入力されるパルス列に応じて、スイッチにより光源２への可変電流源８の接続をオン／オフして、光源２のレーザーパワーを切り替える。光源２からの出射光は、出射光光検出器４に入射される。なお、データを高密度で記録する場合（ピットを形成するため）には、スイッチングを高速で行う必要があるので、スイッチ部１９は、高速スイッチングが可能なものを使用している。
【００３４】
出射光光検出器４では、光源２からの出射光量に応じた光検出信号を出力し、この信号は、増幅器１２において増幅され、ローパスフィルタ１３に入力される。ここで、増幅器１２は、例えばＩ／Ｖ変換器である。
【００３５】
ローパスフィルタ１３は、増幅器１２を介して入力された光検出信号の高周波数成分を除去する処理、すなわち平滑化する処理を行う。すなわち、光検出信号がローパスフィルタ１３により、変動を含めた平均的な値とした後段の処理部に出力される。例えば、図４中（Ｂ）に示すように略パルス状の信号として入力された光検出信号（実線）は、同図中（Ｄ）に示すような信号（実線）として出力される。そして、ローパスフィルタ１３により処理された信号は、引き算器１６に入力される。
【００３６】
ここで、ローパスフィルタ１３の信号通過帯域は、データの書き込み用信号又は再生用信号、出射光光検出器４、及び増幅器１２の処理する信号帯域よりも十分低く設定されている。これにより、光源２のレーザーパワーの制御の速さ、すなわち、制御系の応答はこのローパスフィルタ１３に依存することになる。
【００３７】
一方、スイッチ部１９に入力されると同様のデータの書き込み用信号又は再生用信号が入力されるローパスフィルタ１４は、このデータの書き込み用信号又は再生用信号の高周波数成分を除去する処理（平滑化する処理）を行う。例えば、データの書き込み用信号が細分化されたパルス列により１つのピットを形成するための信号であっても、このローパスフィルタ１４により、高周波数成分が除去された平滑化された信号として、後段の処理部に出力される。具体的には、図４中（Ａ）に示すようなパルス列からなる信号は、同図中（Ｃ）に示すような信号（実線）として出力される。ローパスフィルタ１４で処理された信号は、乗算器１５に入力される。このローパスフィルタ１４の信号通過帯域は、上述したローパスフィルタ１３の信号通過帯域と同一とされている。
【００３８】
乗算器１５は、ローパスフィルタ１４からの出力された信号に係数Ｋを乗算し、ここで乗算された信号は、引き算器１６に入力される。ここで、係数Ｋは、予め決定されている値である。
【００３９】
引き算器１６は、ローパスフィルタ１３及びローパスフィルタ１４において処理された信号を引き算し、ここで引き算されて差分からなる信号を出力する。すなわち、この引き算器１６により、ローパスフィルタ１３において平滑化された光検出信号とローパスフィルタ１４において平滑化されたデータの書き込み用信号又は再生用信号との差分がとられる。
【００４０】
よって、この引き算器１６により、実際のデータの記録又は再生のためのデータの書き込み用信号又は再生用信号とこのデータの書き込み用信号又は再生用信号によりレーザーパワーが制御された光源２からの出射光量に基づく光検出信号との差分がとられることから、いわゆるＤＣフリーでないデータの記録がなされている場合であっても、実際のデータの記録又は再生のための信号を基準信号として、光検出信号の変化を監視していることになる。
【００４１】
また、ローパスフィルタを介していることから、書き込み信号用信号が一連のパルスによりデータを記録する（一つのピットを形成する）ためのものであっても、各パルスについてサンプリングする必要なく基準信号を得ており、この基準信号に基づいて、光検出信号を監視していることになる。さらに、光検出信号についても同様に、パルス駆動される光源２からの出射光量を、平滑化した光検出信号としてとらえることが可能になる。
【００４２】
この引き算器１６から出力された信号は、増幅器１７において、増幅され、そして、可変電流源１８に入力される。
【００４３】
可変電流源１８は、増幅器１７からの出力に応じて光源２に供給する電流値を制御する。上述したように、増幅器１７に入力される信号は光源２の出射光量に応じた光検出信号とデータの書き込み用信号又は再生用信号との差分からなる信号であるので、例えば、光検出信号の値の方が小さい場合には、その差分の値に応じて可変電流源１８から光源２に供給される電流の電流値が増加される。
【００４４】
以上のような構成を有する光出力制御装置１１は、ディスク２００に対するデータの記録又は再生を行う際に、ローパスフィルタ１３を介して得た出射光光検出器４からの光検出信号とローパスフィルタ１４を介して得た光源２のレーザーパワーを制御するための信号（書き込み用信号又は再生用信号）とを比較して帰還をかけることで、記録レベル又は再生レベルにおいて適切な出射光量になるように光源２のレーザーパワーを制御している。
【００４５】
すなわち、光出力制御装置１１は、ローパスフィルタ１３を介して得た光源２の出射光量に応じた光検出信号を、ローパスフィルタ１４を介して得たデータ書き込み用信号に合わせ込むように、光源２のレーザーパワーを制御している。乗算器１５の係数Ｋについては、このような合わせ込みの処理を可能にするような値として予め決定されている。例えば、係数Ｋを乗算することにより、図４中（Ｂ）乃至（Ｄ）に示す信号の値は、同図中点線に示すように増加する。
【００４６】
光源２の出射光量が所定の光量に達していない場合について具体的に説明すると、ローパスフィルタ１３の出力信号とローパスフィルタ１４の出力信号との差が大きくなり、引き算器１６から出力される信号レベルが大きくなる。可変電流源１８は、引き算器１６から出力されて増幅器１７で増幅された出力により光源２に供給する電流の電流値を変化させていることから、光源２が所定の出射光量に達していない場合には、引き算器１６において得られた差分の信号に応じてその出力が増加される。この出力の増加により、光源２からの出射光量がデータの記録又は再生に最適な光量になる。例えば、光源２が所定の出射光量とされていない場合にはディスク２００に対して所望のピットを形成することができないので、このようなことが防止される。
【００４７】
また、上述したように、引き算器１６において、光検出信号の書き込み用信号成分にデータの書き込み用信号を合わせ込んでいるで、データの書き込み用信号が、いわゆるＤＣフリーでない場合においても光源２のレーザーパワーの制御を的確に行うことができる。
【００４８】
さらに、光出力制御装置１１は、データの書き込み用信号又は再生用信号と光検出信号とをローパスフィルタを介して比較していることから、データの書き込み用信号又は再生用信号、及び光検出信号をサンプリングパルスによりサンプリングする必要はなく、それら信号の変動を平均化したもの、すなわち、ゆっくりとした変動としてとらえることができる。これにより、高密度記録のために細分化されたパルス列によりデータの記録を行う場合であっても、高速処理を要することなく光源２のレーザーパワーを制御することができる。例えば、図５中（Ａ）には、図４中（Ｂ）と比較して細かいパルス列からなる信号を示しており、これは、例えば、記録密度を高くした際のデータ書き込み用信号であって、図５中（Ａ）乃至（Ｄ）の信号の検出位置は、図４中（Ａ）乃至（Ｄ）の信号の検出位置に対応している。このように記録密度が高くされた場合であっても、ローパスフィルタを介して信号を比較することにより、高速処理を要することなく光源２のレーザーパワーの制御を的確にすることができる。
【００４９】
よって、細分化されたパルス列により一つのピットを形成するデータ記録方式を採用した場合であっても、データの書き込み用信号をローパスフィルタを介すことにより、高速処理を要することなく光源２のレーザーパワーを制御することができる。
【００５０】
次に第２の実施の形態について説明する。第２の実施の形態である図６に示す光出力制御装置２１は、低い出力レベルと高い出力レベルの２つの異なる出力レベルにより光源２のレーザーパワーを制御するものである。具体的には、光出力制御装置２１は、再生時の出力レベルに、データの書き込み用の出力レベルが上乗せされている信号によりデータの書き込みを行う光源２のレーザーパワーを制御するもので、例えば、図７に示すような再生レベルに書き込みレベルが上乗せされた光検出信号に基づいて光源２のレーザーパワーを制御している。光ピックアップ装置１は、書き込みレベルと再生レベルとして別々に光源２のレーザーパワーを切り替えることにより、例えば、ディスク２００に形成されているアドレス用のピット等を読みながらデータの書き込み（ピットの形成）をすることが可能になっている。
【００５１】
光出力制御装置２１は、出射光光検出器４、増幅器２２，３０，３３、サンプルホールド回路２３、引き算器２４，２６，２９、ローパスフィルタ２５，２７、乗算器２８、可変電流源２４、スイッチ部３２、及び光源２を備えている。
【００５２】
この光出力制御装置２１において、上述した第１の実施の形態である光出力制御装置１１と異なっているところは、出射光光検出器４から出力される信号を処理する部分である増幅器２２とローパスフィルタ２５との間にサンプルホールド回路２３、引き算器２４，２６を備え、また、引き算器２６からの信号レベルに基づいて光源２への電流供給を制御する可変電流源３４を備えていることである。
【００５３】
光出力制御装置２１は、ローパスフィルタ２７及びスイッチ部３２に光源２を駆動するための信号内のパルス列からなる書き込み用信号が入力される。具体的には、図８中（Ａ）に示すようなパルス列が入力される。
【００５４】
このパルス列は、ローパスフィルタ２７において平滑化され、それから、乗算器２８において係数Ｋにより乗算されて、引き算器２９に出力される。
【００５５】
スイッチ部３２では、データの書き込み用信号に基づいてスイッチをオン／オフして、可変電流源３１により光源２への電流の供給を切り替える。そして、光源２は、可変電流源３４から供給される電流により再生レベルのレーザーパワーが与えられる。
【００５６】
このようにスイッチ部３２によりレーザーパワーが制御される光源２からの出射光が出射光光検出器４において受光され、出射光光検出器４は、この出射光の受光量に応じて光検出信号を出力する。
【００５７】
出射光光検出器４から出力された光検出信号は、増幅器２２において増幅されて、サンプルホールド回路２３及びサンプルホールド回路２３の後段に配置されている引き算器２４に入力される。
【００５８】
サンプルホールド回路２３は、光検出信号内の再生用信号成分を検出して検出再生用信号を出力する。具体的には、サンプルホールド回路２３は、図８中（Ｇ）に示すように、データの書き込みが行われない再生期間内に入力されるReadサンプルパルスをトリガとして、検出再生用信号を取得する。そして、このようにして取得した検出再生用信号は、例えば図８中（Ｅ）に示すような信号とされて、後段の引き算器２４，２６に入力される。
【００５９】
引き算器２４には、増幅器２２から出力される光検出信号、例えば図８中（Ｂ）に示すように、再生用信号成分に書き込み用信号成分が上乗せされた光検出信号も入力されている。引き算器２４は、増幅器２２からの光検出信号とサンプルホールド回路２３において得ている検出再生用信号との差分により、書き込み用信号成分（検出書き込み用信号）を算出する。具体的には、引き算器２４は、図８中（Ｂ）に示す信号と同図中（Ｅ）に示す信号との差分として、同図中（Ｆ）に示すような検出書き込み用信号を算出する。この引き算器２４により得られた検出書き込み用信号は、ローパスフィルタ２５で平滑化され、引き算器２９に入力される。
【００６０】
引き算器２９には上述したようにローパスフィルタ２７及び乗算器２８を介して得た信号も入力されており、この引き算器２９により、この信号とローパスフィルタ２５からの信号との差分が算出され、ここで得られた信号は増幅器３０を介して可変電流源３１に入力される。ここで、ローパスフィルタを介していることから、パルス列からなる書き込み用信号であっても、各パルスについてサンプリングする必要なく検出書き込み信号を基準信号として、検出書き込み用信号との差分を得ることができる。
【００６１】
可変電流源３１は、上述した光出力制御装置１１の可変電流源１８と同様に、引き算器２９により得た差分の信号に基づいて光源２に供給する電流の電流値を変化させる。これにより、光源２の記録レベルのレーザーパワーは、書き込み用信号成分に基づいた制御がなされることになる。
【００６２】
一方、引き算器２６では、サンプルホールド回路２３から出力される検出再生信号と所定の基準再生用信号であるRead基準信号の差分を出力する。Read基準信号は、データを再生するための最適値とされた信号である。よって、例えば、光源２の出射光に基づいて得た検出再生用信号の値が、再生用に最適とされているこの基準信号（Read基準信号）の値にまで達していない場合には、引き算器２６から出力される信号レベルは、大きな値になる。この引き算器２６から出力された信号は、増幅器３３を介して可変電流源３４に入力される。
【００６３】
可変電流源３４は、入力信号のレベルに応じて光源２に供給する電流の電流値を変化させる。ここで、可変電流源３４と可変電流源３１とは、光源２に対して並列に接続されていることから、可変電流源３４の出力の増加は、光源２のレーザーパワーの増加として伝えられ、これにより、光源２は、可変電流源３４からの電流により再生レベルのレーザーパワーが制御されることになる。
【００６４】
以上のような構成を有する光出力制御装置２１は、光源２の記録レベルと再生レベルのレーザーパワーとを別々に制御することができる。具体的には、記録レベルのレーザーパワーの制御については、上述した光出力制御装置１１の処理と同様な処理を可能にする構成部、すなわち、出射光光検出器４、増幅器２２、サンプルホールド回路２３、引き算器２４、ローパスフィルタ２５，２７、乗算器２８、及び引き算器２９からなる部分によりなされ、また、再生レベルのレーザーパワーの制御については、出射光光検出器４、増幅器２２、サンプルホールド回路２３、及び引き算器２６とからなる部分によりなされる。
【００６５】
そして、光出力制御装置２１は、上述した第１の実施の形態の光出力制御装置１１と同様に、ローパスフィルタ２５及びローパスフィルタ２７を介して書き込み用信号成分を比較していることから、例えば、データを高速で記録するために書き込み用信号のパルスの発生間隔が短くされた場合であっても、記録レベル及び再生レベルそれぞれのレーザーパワーを的確に制御することができる。例えば、図９中（Ａ）に示すような細かいパルス列からなる信号についても、ローパスフィルタを介して信号を比較することにより、記録レベル及び再生レベルそれぞれについてレーザーパワーを的確にすることができる。なお、図９中（Ａ）乃至（Ｆ）の信号の検出位置は、図８中（Ａ）乃至（Ｆ）の信号の検出位置に対応している。
【００６６】
次に第３の実施の形態について説明する。上述した第１及び第２の実施の形態は、出射光光検出器４の受光結果に基づいて光源２のレーザーパワーを制御したものであるが、この第３の実施の形態である光出力制御装置は、図１０に示すように、戻り光光検出器７における受光結果に基づいて光源２のレーザーパワーを制御している。
【００６７】
光出力制御装置４１は、上述した第１の実施の形態の光出制御装置１１と基本的には同様な構成からなるものであって、戻り光光検出器７から出力される光検出信号を光源２の制御のための信号とすることのみが異なっている。そして、光出力制御装置４１は、光出力制御装置１１と同様に、光源２の記録レベル又は再生レベルのレーザーパワーを制御することができるようになされている。
【００６８】
この光出力制御装置４１は、光出力制御装置１１と同様に、データの書き込み用信号や再生用信号が、ローパスフィルタ４４及びスイッチ部４９に入力される。
【００６９】
ローパスフィルタ４４に入力されたパルス列は、ここで平滑化され、それから、乗算器４５において係数Ｋが乗算されて、引き算器４６に入力される。
【００７０】
スイッチ部４９では、データの書き込み用信号又は再生用信号に基づいてスイッチをＯＮ／ＯＦＦして、可変電流源４８による光源２への電流の供給を制御している。
【００７１】
このようにスイッチ部４８により出力が制御される光源２からの出射光は、ディスク２００で反射されて戻り光として戻り光光検出器７において受光される。
【００７２】
戻り光光検出器７は戻り光の光量に応じた光検出信号を出力する。戻り光光検出器７から出力された光検出信号は、増幅器４２において増幅されて、ローパスフィルタ４３に入力され、ローパスフィルタ４３では、この入力された信号の平滑化がなされ、平滑化された信号は引き算器４６に入力される。
【００７３】
引き算器４６は、ローパスフィルタ４３からの信号とローパスフィルタ４４及び乗算器４５を介して得た信号との差分を得て、ここで得られた信号は引き算器５０に入力される。
【００７４】
引き算器５０では、参照値による引き算が行われる。ここで、参照値とは、ディスク２００へのデータの書き込み特性等のディスク２００に依存して予め取得している値からなる。例えば、一般的には、データの記録や再生をする前に、記録再生装置は、データを書き込んだ後にこの書き込んだデータを読み出してデータの書き込み特性を予め得るといった試し書きを行い、以後の実際のデータの記録及び再生に役立てているが、その際に得られるデータの書き込み特性、例えば、ディスクの半径方向に行くに従いピットが形成し難くなるといった特性を参照値としている。具体的には、試し書きの際に、ディスクの半径方向に分割した各領域についてピットを形成するのに最適の光源２のレーザーパワー、例えば、乗算器４５の出力値を参照値として記憶しておく。このように、各領域について取得した参照値により、引き算器４６からの信号を引き算をすることにより、各領域毎に書き込み特性も考慮に入れた光源２のレーザーパワーの制御が可能になる。そして、このように参照値（最適値）により引き算がなされた値は、増幅器４７において増幅されて、可変電流源４８に入力される。
【００７５】
なお、上述したような試し書きは、試し書き領域に対して行っているが、実際にデータの記録又は再生をする際に、この試し書き領域から実際のデータの記録領域に移動してデータの記録又は再生を開始することにより、光検出信号の過渡的な変化を吸収してローパスフィルタからの平滑化された光検出信号の出力を得ることが可能になる。
【００７６】
可変電流源４８は、上述した光出力制御装置１１の可変電流源１８と同様に、引き算器２９により得た差分の信号に基づいて光源２に供給する電流の電流値を変化させる。
【００７７】
以上のような構成を有する光出力制御装置１１は、戻り光光検出器７の受光結果に基づいて、光源２の制御を行うことができる。
【００７８】
このように戻り光光検出器７の出力に基づいて光源２のレーザーパワーを制御することにより、ディスク２００の感度差の影響を考慮に入れた光源２のレーザーパワーの制御が可能になる。すなわち、光出力制御装置４１は、ディスク２００に記録されているピットの形成具合等をモニタリングしながら光源２のレーザーパワーを制御することができる。
【００７９】
例えば、通常、熱によりピットの形成部からの反射率が変化し、時間の経過に伴って戻り光の光量が少なくなるので、図１１中（Ａ）に示すようなデータの書き込み信号に対して、実際には、図１１中（Ｂ）に示すような光検出信号が検出される。ここで、図中斜線部分が反射率の変化による損失分である。このような場合であっても、戻り光に基づいて光源２のレーザーパワーを制御しているので、光源２のレーザーパワーをピットの形成に最適な出力にすることができる。
【００８０】
また、戻り光に基づいて光源２のレーザーパワーを制御することにより、ディスク２００が傾いている場合であっても、その影響を考慮に入れた光源２のレーザーパワーの制御が可能になる。
【００８１】
次に第４の実施の形態について説明する。この第４の実施の形態である図１２に示す光出力制御装置６１は、書き込み用信号と所定の再生用信号とからなる信号に基づいて光源２のレーザーパワーを制御するように構成されており、上述した第３の実施の形態の光出力制御装置４１の構成に、出射光光検出器４の光検出信号から再生用信号成分を取得して、この再生用信号成分に基づいて光源２の再生レベルのレーザーパワーについても制御する構成を加えたものとなっている。新たに加えた構成として、出射光光検出器４からの光検出信号を増幅する増幅器６２と、増幅器６２からの光検出信号から再生用信号成分を検出するサンプルホールド回路６３と、サンプルホールド回路６３から出力される光検出信号内の再生用信号成分である検出再生用信号と所定の基準再生用信号（Read基準信号）との差分をとる引き算器６４と、引き算器６４からの出力される信号を増幅する増幅器６５と、増幅器６５の出力に応じて光源２に供給する電流の電流値を変化させる可変電流源６６とを備えている。
【００８２】
この出射光光検出器４の光検出信号内の再生用信号成分に基づいて光源２の再生レベルをレーザーパワーを制御する部分は、上述した第２の実施の形態の光出力制御装置２１の出射光光検出器４、増幅器２２、サンプルホールド回路２３、引き算器２６、増幅器３３、及び可変電流源３４の順序で行われる処理と同様な処理により、光源２のレーザーパワーを制御している。
【００８３】
このように、記録レベルについては戻り光光検出器７の光検出信号に基づいて制御する一方で、再生レベルについては出射光光検出器４の光検出信号の再生用信号成分に基づいてレーザーパワーを制御するような構成とすることにより、記録レベルをディスク２００の書き込み特性による影響等を考慮に入れて制御することができるとともに、再生レベルを光源２の温度特性による影響等を考慮に入れて制御することができるようになる。
【００８４】
また、光源２の再生レベルのレーザーパワーの制御を出射光光検出器４の検出結果に基づいて行うことにより、例えば異常動作時やディスクの反射率が異常に低い場合に、光源２が暴走して、レーザーパワーが異常に高い出力レベルとなってしまうことを防止することができ、光源２の破壊やディスクに記録済みの信号が破壊されることを防止して、信頼性の高い装置を提供することが可能になる。
【００８５】
次に第５の実施の形態について説明する。この第５の実施の形態である図１３に示す光出力制御装置７１は、書き込み用信号と所定の再生用信号とからなる信号に基づいて光源２のレーザーパワーを制御するように構成されており、第３の実施の形態の光出力制御装置４１に、第２の実施の形態の光出力制御装置２１を組み込んだような構成としている。
【００８６】
上述した第２の実施の形態に対応される部分について説明すると、出射光光検出器４からの信号が、増幅器７２において増幅され、サンプルホールド回路７３及びサンプルホールド回路７３の後段に配置されている引き算器７４に入力される。
【００８７】
サンプルホールド回路７３では、Readサンプルパルスをトリガとして、光検出信号内の再生用信号成分が取得され、このようにして取得された再生用信号成分は検出再生用信号として、後段の引き算器７４，７６に入力される。
【００８８】
引き算器７４では、増幅器７２からの光検出信号信号が入力さており、よって、ここでは、光検出信号と検出再生用信号の差分とから、書き込み用信号成分が検出される。
【００８９】
このように引き算器７４により得た書き込み用信号成分は、検出書き込み用信号とされてローパスフィルタ７５に入力され、ここで、平滑化され、そして、引き算器７８に入力される。
【００９０】
引き算器７８には、ローパスフィルタ４４及び乗算器７７を介してデータの書き込み用信号が入力されており、この信号と、ローパスフィルタ７５からの検出読み出し用信号との差分が得られる。そして、ここで得られた信号は、乗算器７９により係数Ｋ３による乗算がなされて、加算器８０に入力される。
【００９１】
加算器８０には、引き算器５０からの信号が入力されており、ここで、その信号との足し算が行われ、増幅器４７により増幅されて、可変電流源４８に入力される。可変電流源４８は、入力信号のレベルに応じて光源２に供給する電流の電流値を変化させる。
【００９２】
一方、引き算器７６では、サンプルホールド回路７３から出力される光検出信号と所定の基準再生用信号であるRead基準信号との差分信号を出力する。この引き算器７６から出力された信号は、増幅器８１を介して可変電流源８２に入力される。可変電流源８２は、入力された信号のレベルに応じて光源２に供給する電流の電流値を変化させる。
【００９３】
以上のような構成を有する光出力制御装置７１は、戻り光光検出器７の光検出信号内の書き込み用信号成分と出射光光検出器４の光検出信号内の書き込み用信号成分とを加算器８０により足し合わせた信号により、記録レベルのレーザーパワーを制御するための可変電流源４８が制御されていることから、光源２の記録レベルを安定して制御することが可能になる。例えば、乗算器７９の係数Ｋ３により制御量を決定することができ、すなわち、戻り光を支配的とするか、出射光を支配的とするかが乗算器７９の係数Ｋ３により決定される。
【００９４】
また、光出力制御装置７１は、上述した第４の実施の形態の光出力制御装置６１と同様に、出射光光検出器４の光検出信号の再生用信号成分に基づいて光源２の再生レベルのレーザーパワーを制御していることから、この再生レベルのレーザーパワーを光源２の温度特性に応じて制御することができる。
【００９５】
なお、第１乃至第５の実施の形態の光出力制御装置のローパスフィルタを複数の信号通過帯域に切換え可能とし、データの記録開始時に高い信号通過帯域とし、データの記録開始から所定時間経過後に低い信号通過帯域へと切り替えても良い。また、ディスクの内外周へのアクセスをする際には、高い信号通過帯域としても良い。このようにローパスフィルタの信号通過帯域を切り替えることにより、データの記録開始の際、或いはディスクの内外周へアクセスした際の即答性を高め、また、データの記録開始から所定時間経過後に低い信号通過帯域へと切り替えることにより、出力の安定性を高めることができる。
【００９６】
以上、第１乃至第５の実施の形態として光出力制御装置について説明した。上述した第２、第４及び第５の実施の形態では、再生用信号とこれに上乗せされた書き込み用信号からなる信号に基づいてデータを記録する場合を説明しているが、消去（Erase）処理を同時に行いながらデータの書き込みを行う場合についても光源２のレーザーパワーをこれら各出力レベル（記録レベル、再生レベル、及び消去レベル）について制御することもできる。図１４には、データの書き込みとともに消去処理も同時に行う場合の信号の出力を示している。
【００９７】
例えば、消去処理をしながらデータの書き込みを行う記録方式には、可逆的な結晶状態の変化を利用した相変化光ディスクを用いた行う方式がある。相変化光ディスクを用いた記録方式は、非晶質化することによりピットを形成し、これの結晶化させることによって消去を行うものである。このような相変化光ディスクを用いたデータの記録方式では、記録レベルに比べて小さい消去レベルのレーザーパワーにより、既に記録されている過去のデータを消去しながら新たなデータの記録を行うことができる。
【００９８】
図１４中（Ｂ）に示すパルス列は、図１４中（Ａ）に示すようなデータ（ピット長さ）を形成しようとした場合の必要な信号の出力を示している。
【００９９】
図１５には、消去処理を行う場合に適用して構成した光出力制御装置９０の構成例を示している。
【０１００】
この光出力制御装置９０は、光検出器９１からの光検出信号を増幅器９２において増幅する。増幅器９２により増幅された光検出信号は、サンプルホールド回路９３、引き算器９７及びセレクタ９４に入力される。
【０１０１】
サンプルホールド回路９３は、増幅器９２から出力された光検出信号内のクーリングレベルを検出する。具体的には、図１４中（Ｃ）に示すようなクーリングレベルサンプリング信号（クーリング領域パルス）により、入力される光検出信号内のクーリングレベルを検出する。ここで、クーリングレベルは、データ（ピット）の終端においてレーザーパワーを一端消去レベルより低い出力レベルとするためのものであって、このような出力レベルを設けることにより、ピット終端における時間的な温度変化を急激に低下させ、再結晶化によるピットの劣化を抑えることが可能になる。このサンプルホールド回路９３により検出されたクーリングレベルは、後段の引き算器９６，９７に入力される。
【０１０２】
引き算器９７では、増幅器９２から出力された光検出信号とクーリングレベルとの差分信号を算出する。すなわち、引き算器９７により、光検出信号内の消去用信号成分と書き込み用信号成分が検出される。ここで、この引き算器９７により算出された信号は、セレクタ９９，１０４に入力される。
【０１０３】
セレクタ９９は、光検出信号内の書き込み用信号成分を検出する。具体的には、セレクタ９９は、図１４中（Ｄ）に示すような記録ゲート（Writeゲート）信号により光検出信号内の書き込み用信号成分を検出する。そして、セレクタ９９により検出された光検出信号内の書き込み用信号成分は、ローパスフィルタ１００に入力される。
【０１０４】
ローパスフィルタ１００では、書き込み用信号成分を平滑化する処理がなされ、この平滑化された信号と、ローパスフィルタ１０１により平滑化された光源のレーザーパワーを制御する信号である書き込み用信号（図１４中（Ｆ）に示すような書き込み用信号を平滑化した信号）との差分が引き算器１０２により算出される。引き算器１０２により算出された信号は、増幅器１０３を介して図示しない光源のレーザーパワーを制御するための可変電流源に入力される。光源は、これにより、図示しない可変電流源に入力された信号に基づいて記録レベルのレーザーパワーが最適になるように制御される。
【０１０５】
記録レベルのレーザーパワーの制御と同様な処理により、セレクタ１０４以降の処理により消去レベルのレーザーパワーの制御がなされる。すなわち、セレクタ１０４では、例えば図１４中（Ｅ）に示すような消去ゲート（Eraseゲート）信号により光検出信号内の消去用信号成分が検出される。そして、セレクタ１０４により検出された光検出信号内の消去信号成分は、ローパスフィルタ１０５により、平滑化する処理がなされ、この平滑化された信号と、ローパスフィルタ１０６により平滑化された光源９１のレーザーパワーを制御するる信号である消去用信号（図１４中（Ｇ）に示すような消去用信号を平滑化した信号）との差分が引き算器１０７により算出される。引き算器１０７により算出された信号は、増幅器１０８を介して図示しない光源のレーザーパワーを制御するための可変電流源に入力される。光源は、これにより、図示しない可変電流源に入力された信号に基づいて消去レベルのレーザーパワーが最適になるように制御される。
【０１０６】
セレクタ９４以降の処理により再生レベルのレーザーパワーの制御がなされる。すなわち、セレクタ９４において、再生ゲート（Readゲート）信号により光検出信号内の再生用信号成分の検出がなされる。この検出された再生用信号成分は、ローパスフィルタ９５に入力される。
【０１０７】
ローパスフィルタ９５では、光検出信号の再生用信号成分を平滑化する処理がなされ、所定の基準再生用信号との差分が検出される。そして、差分信号は、図示しない増幅器を介して図示しない光源のレーザーパワーを制御するための可変電流源に入力される。光源は、これにより、図示しない可変電流源に入力された信号に基づいて再生レベルのレーザーパワーが最適になるように制御される。
【０１０８】
また、クーリングレベルの制御については、次のようにしてなされる。引き算器９６において、サンプルホールド回路９３から出力された光検出信号のクーリング信号成分と、所定のバイアス値とされる基準クーリング信号との差分信号が算出され、この算出された差分信号が増幅器９８を介して図示しない光源のレーザーパワーを制御するための可変電流源に入力される。光源は、これにより、図示しない可変電流源に入力された信号に基づいてクーリングレベルの制御がなされる。
【０１０９】
以上のように、光出力制御装置９０は、消去処理を同時に行いながらデータの書き込みを行う場合についても、光源２を再生レベル、記録レベル、及び消去レベルの各出力レベルを別々に制御することができる。
【０１１０】
【発明の効果】
本発明に係る光出力制御装置は、信号記録媒体に対してデータの記録及び／又は再生をするための光を出射する光源と、データの書き込み用及び／又は読み出し用信号に基づいて光源に供給する駆動電流の電流値を切り替える駆動電流切換手段と、光源の出射光量を検出して、検出光量に応じた光検出信号を出力する光検出手段と、光源駆動信号を平滑化する第１の低域通過フィルタと、光光検出信号を平滑化する第２の低域通過フィルタと、第１の低域通過フィルタにより平滑化された信号と第２の低域通過フィルタにより平滑化された信号との差分信号を算出する第１の差分信号算出手段と、差分信号に応じて駆動電流の電流値を制御する可変電流手段とを備えることにより、第１の低域通過フィルタにより平滑化された光検出信号と第２の低域通過フィルタにより平滑化された光検出信号とから第１の差分信号算出手段により算出した差分信号に応じて、可変電流手段が光源に供給する駆動電流の電流値を制御することができる。
【０１１１】
これにより、光出力制御装置は、高速でデータの記録や再生を行う場合であっても、光源からの出力を的確に制御することができるようになる。
【０１１２】
また、本発明に係る光出力制御装置は、信号記録媒体に対してデータの記録及び／又は再生をするための光を出射する光源と、書き込み用信号に基づいて光源への駆動電流を第１の電流値と第２の電流値とで切り替える駆動電流切換手段と、光源からの出射光量を検出して、検出光量に応じた光検出信号を出力する光検出手段と、光検出信号内の読み出し用信号成分を検出して検出読み出し用信号を出力する第１の信号検出手段と、光検出信号と検出読み出し用信号との差分から書き込み用信号成分を検出して検出書き込み用信号を出力する第２の信号検出手段と、検出書き込み用信号を平滑化する第１の低域通過フィルタと、第１の低域通過フィルタにより平滑化された信号と所定の基準書き込み用信号との差分信号を算出して書き込み差分信号を出力する第１の差分信号算出手段と、検出読み出し用信号と所定の基準読み出し用信号との差分信号を算出して読み出し差分信号を出力する第２の差分信号算出手段と、書き込み差分信号に応じて駆動電流の第１の電流値を制御する第１の可変電流手段と、読み出し差分信号に応じて駆動電流の第２の電流値を制御する第２の可変電流手段とを備えることにより、第１の信号検出手段及び第２の信号検出手段により、光検出信号内から読み出し用信号成分及び書き込み用信号成分を検出して、検出読み出し用信号及び検出書き込み用信号を出力し、そして、第１の低域通過フィルタにより平滑化された検出書き込み用信号と所定の基準書き込み用信号とから第１の差分信号算出手段により算出した書き込み差分信号に応じて第１の可変電流手段が駆動電流の第１の電流値を制御し、また、検出読み出し用信号と所定の基準読み出し用信号とから第２の差分信号算出手段により算出した読み出し差分信号に応じて第２の可変電流手段が駆動電流の第２の電流値を制御することができる。
【０１１３】
これにより、光出力制御装置は、高速でデータの記録や再生を行う場合であっても、光源からの出力を的確に制御することができるようになる。そして、書き込み用信号と所定の読み出し用信号とからなる信号により光源の出力が制御される場合であっても、光源の書き込みレベル及び読み出しレベルの出力について別々にして制御することができる。
【図面の簡単な説明】
【図１】本発明の第１の実施の形態である光出力制御装置の構成を示すブロック図である。
【図２】光出力制御装置により光源の出力が制御される光ピックアップ装置の構成を示すブロック図である。
【図３】光源に入力されるデータの書き込み用信号及び光源の光検出信号の例を示す図である。
【図４】第１の実施の形態の光出力制御装置の各部の入力信号及び出力信号を示す図である。
【図５】第１の実施の形態の光出力制御装置の各部の入力信号及び出力信号であって、細かいパルス列からなるデータの書き込み用信号が入力された場合の例を示す図である。
【図６】本発明の第２の実施の形態である光出力制御装置の構成を示すブロック図である。
【図７】書き込み成分と再生成分とからなる光検出信号の例を示す図である。
【図８】第２の実施の形態の光出力制御装置の各部の入力信号及び出力信号を示す図である。
【図９】第２の実施の形態の光出力制御装置の各部の入力信号及び出力信号であって、細かいパルス列からなるデータの書き込み用信号が入力された場合の例を示す図である。
【図１０】本発明の第３の実施の形態である光出力制御装置の構成を示すブロック図である。
【図１１】戻り光の損失を説明するために用いた図である。
【図１２】  本発明の第４の実施の形態である光出力制御装置の構成を示すブロック図である。
【図１３】本発明の第５の実施の形態である光出力制御装置の構成を示すブロック図である。
【図１４】データの書き込み用信号に基づいて消去処理も行う場合の説明に用いた図である。
【図１５】本発明の第６の実施の形態である光出力制御装置の構成を示すブロック図である。
【図１６】  Readｓサンプル信号とWriteサンプル信号に基づいて再生レベルと記録レベルを検出する場合の説明に用いた図である。
【図１７】従来の光出力制御装置の構成を示すブロック図である。
【図１８】細かいパルスからピットを形成する場合の説明に用いた図である。
【符号の説明】
２  光源、４  出射光光検出器、７  戻り光光検出器、１１  光出力制御装置、１３，１４  ローパスフィルタ、１６  引き算器、１８  可変電流源、１９  電源スイッチ部、２１  光出力制御装置、２３  サンプルホールド回路、２４  引き算器、２５  ローパスフィルタ、２６，２９  引き算器、３１  可変電流源、３２  電源スイッチ部、３４  可変電流源
【図１】
0004103242.tif 000002
【図２】
0004103242.tif 000003
【図３】
0004103242.tif 000004
【図４】
0004103242.tif 000005
【図５】
0004103242.tif 000006
【図６】
0004103242.tif 000007
【図７】
0004103242.tif 000008
【図８】
0004103242.tif 000009
【図９】
0004103242.tif 000010
【図１０】
0004103242.tif 000011
【図１１】
0004103242.tif 000012
【図１２】
0004103242.tif 000013
【図１３】
0004103242.tif 000014
【図１４】
0004103242.tif 000015
【図１５】
0004103242.tif 000016
【図１６】
0004103242.tif 000017
【図１７】
0004103242.tif 000018
【図１８】
0004103242.tif 000019